(57)【要約】【課題】プロトコル処理の複雑さを軽減し、効率的に通信を行うことができる端末装置、基地局装置、方法、および集積回路に関する技術を提供すること。【解決手段】端末装置であって、基地局装置からＲＲＣコネクション再設定メッセージを受信する受信部と、前記ＲＲＣコネクション再設定メッセージにフル設定が適用される事を示す情報が含まれている場合には、前記端末装置がＥ−ＵＴＲＡ／５ＧＣ又はＮＧＥＮ−ＤＣを実行している事に基づいて、前記端末装置が設定している各ＤＲＢ識別子に対応するＤＲＢに対し、ＲＬＣエンティティの再確立、及びＮＲ  ＰＤＣＰエンティティの解放、及びＲＬＣエンティティの解放、及びロジカルチャネルの解放、及びＤＲＢ識別子の解放を行い、前記ＤＲＢに対応しているＳＤＡＰエンティティに前記ＤＲＢの解放を通知する、処理を行う処理部とを有する。【選択図】図９
2020048113.tif 000002
【特許請求の範囲】
【請求項１】
基地局装置と通信する端末装置であって、
基地局装置からＲＲＣコネクション再設定メッセージを受信する受信部と、
前記ＲＲＣコネクション再設定メッセージにフル設定が適用される事を示す情報が含まれている場合には、
前記端末装置がＥ−ＵＴＲＡ／５ＧＣ又はＮＧＥＮ−ＤＣを実行している事に基づいて、
前記端末装置が設定している各ＤＲＢ識別子に対応するＤＲＢに対し、
ＲＬＣエンティティの再確立、及びＮＲ  ＰＤＣＰエンティティの解放、及びＲＬＣエンティティの解放、及びロジカルチャネルの解放、及びＤＲＢ識別子の解放を行い、
前記ＤＲＢに対応しているＳＤＡＰエンティティに前記ＤＲＢの解放を通知する、処理を行う処理部と、を有する、
端末装置。
【請求項２】
基地局装置と通信する端末装置であって、
基地局装置からＲＲＣコネクション再設定メッセージを受信する受信部と、
前記ＲＲＣコネクション再設定メッセージにフル設定が適用される事を示す情報が含まれている場合には、
前記端末装置がＥ−ＵＴＲＡ／５ＧＣ又はＮＧＥＮ−ＤＣを実行していない事に基づいて、
前記端末装置に設定されているＥＰＳベアラ識別子の値のうち、前記ＲＲＣコネクション再設定メッセージに含まれるＥＰＳベアラ識別子の値に対応する各ＤＲＢに対し、
前記ＤＲＢにＥ−ＵＴＲＡ  ＰＤＣＰエンティティが設定されている場合には、前記Ｅ−ＵＴＲＡ  ＰＤＣＰエンティティの解放を行い、前記ＤＲＢにＥ−ＵＴＲＡ  ＰＤＣＰエンティティが設定されていない場合にはＲＬＣエンティティの再確立、及びＮＲ  ＰＤＣＰエンティティの解放を行い、
前記Ｅ−ＵＴＲＡ  ＰＤＣＰエンティティ又は前記ＮＲ  ＰＤＣＰエンティティを解放した後に、ＲＬＣエンティティの解放、及びロジカルチャネルの解放、及びＤＲＢ識別子の解放を行い、
前記端末装置に設定されているＥＰＳベアラ識別子の値のうち、前記ＲＲＣコネクション再設定メッセージに含まていないＥＰＳベアラ識別子の値に対応する各ＤＲＢに対し、
ＤＲＢ解放を行う、処理を行う処理部と、を有する、
端末装置。
【請求項３】
前記ＤＲＢ解放の処理において、
前記ＤＲＢにＥ−ＵＴＲＡ  ＰＤＣＰエンティティが設定されている場合には、前記Ｅ−ＵＴＲＡ  ＰＤＣＰエンティティの解放を行い、
前記ＤＲＢにＥ−ＵＴＲＡ  ＰＤＣＰエンティティが設定されていない場合には、ＲＬＣエンティティの再確立、及びＮＲ  ＰＤＣＰエンティティの解放を行う、処理を行う処理部と、を有する、
請求項２に記載の端末装置。
【請求項４】
基地局装置と通信する端末装置の方法であって、
基地局装置からＲＲＣコネクション再設定メッセージを受信し、
前記ＲＲＣコネクション再設定メッセージにフル設定が適用される事を示す情報が含まれている場合には、
前記端末装置がＥ−ＵＴＲＡ／５ＧＣ又はＮＧＥＮ−ＤＣを実行している事に基づいて、
前記端末装置が設定している各ＤＲＢ識別子に対応するＤＲＢに対し、
ＲＬＣエンティティの再確立、及びＮＲ  ＰＤＣＰエンティティの解放、及びＲＬＣエンティティの解放、及びロジカルチャネルの解放、及びＤＲＢ識別子の解放を行い、
前記ＤＲＢに対応しているＳＤＡＰエンティティに前記ＤＲＢの解放を通知する、
方法。
【請求項５】
基地局装置と通信する端末装置の方法であって、
基地局装置からＲＲＣコネクション再設定メッセージを受信し、
前記ＲＲＣコネクション再設定メッセージにフル設定が適用される事を示す情報が含まれている場合には、
前記端末装置がＥ−ＵＴＲＡ／５ＧＣ又はＮＧＥＮ−ＤＣを実行していない事に基づいて、
前記端末装置に設定されているＥＰＳベアラ識別子の値のうち、前記ＲＲＣコネクション再設定メッセージに含まれるＥＰＳベアラ識別子の値に対応する各ＤＲＢに対し、
前記ＤＲＢにＥ−ＵＴＲＡ  ＰＤＣＰエンティティが設定されている場合には、前記Ｅ−ＵＴＲＡ  ＰＤＣＰエンティティの解放を行い、前記ＤＲＢにＥ−ＵＴＲＡ  ＰＤＣＰエンティティが設定されていない場合にはＲＬＣエンティティの再確立、及びＮＲ  ＰＤＣＰエンティティの解放を行い、
前記Ｅ−ＵＴＲＡ  ＰＤＣＰエンティティ又は前記ＮＲ  ＰＤＣＰエンティティを解放した後に、ＲＬＣエンティティの解放、及びロジカルチャネルの解放、及びＤＲＢ識別子の解放を行い、
前記端末装置に設定されているＥＰＳベアラ識別子の値のうち、前記ＲＲＣコネクション再設定メッセージに含まていないＥＰＳベアラ識別子の値に対応する各ＤＲＢに対し、
ＤＲＢ解放を行う、
方法。
【請求項６】
前記ＤＲＢ解放の処理において、
前記ＤＲＢにＥ−ＵＴＲＡ  ＰＤＣＰエンティティが設定されている場合には、前記Ｅ−ＵＴＲＡ  ＰＤＣＰエンティティの解放を行い、
前記ＤＲＢにＥ−ＵＴＲＡ  ＰＤＣＰエンティティが設定されていない場合には、ＲＬＣエンティティの再確立、及びＮＲ  ＰＤＣＰエンティティの解放を行う、
請求項５に記載の方法。
【請求項７】
端末装置と通信する基地局装置であって、
端末装置にＲＲＣコネクション再設定メッセージを送信する送信部と、
前記端末装置に前記ＲＲＣコネクション再設定メッセージに従って処理を行わせる処理部とを有し、
前記処理は、
前記ＲＲＣコネクション再設定メッセージにフル設定が適用される事を示す情報が含まれている場合には、
前記端末装置がＥ−ＵＴＲＡ／５ＧＣ又はＮＧＥＮ−ＤＣを実行している事に基づいて、
前記端末装置が設定している各ＤＲＢ識別子に対応するＤＲＢに対し、
ＲＬＣエンティティの再確立、及びＮＲ  ＰＤＣＰエンティティの解放、及びＲＬＣエンティティの解放、及びロジカルチャネルの解放、及びＤＲＢ識別子の解放を行い、
前記ＤＲＢに対応しているＳＤＡＰエンティティに前記ＤＲＢの解放を通知する、処理である、
基地局装置。
【請求項８】
端末装置と通信する基地局装置であって、
端末装置にＲＲＣコネクション再設定メッセージを送信する送信部と、
前記端末装置に前記ＲＲＣコネクション再設定メッセージに従って処理を行わせる処理部とを有し、
前記処理は、
前記ＲＲＣコネクション再設定メッセージにフル設定が適用される事を示す情報が含まれている場合には、
前記端末装置がＥ−ＵＴＲＡ／５ＧＣ又はＮＧＥＮ−ＤＣを実行していない事に基づいて、
前記端末装置に設定されているＥＰＳベアラ識別子の値のうち、前記ＲＲＣコネクション再設定メッセージに含まれるＥＰＳベアラ識別子の値に対応する各ＤＲＢに対し、
前記ＤＲＢにＥ−ＵＴＲＡ  ＰＤＣＰエンティティが設定されている場合には、前記Ｅ−ＵＴＲＡ  ＰＤＣＰエンティティの解放を行い、前記ＤＲＢにＥ−ＵＴＲＡ  ＰＤＣＰエンティティが設定されていない場合にはＲＬＣエンティティの再確立、及びＮＲ  ＰＤＣＰエンティティの解放を行い、
前記Ｅ−ＵＴＲＡ  ＰＤＣＰエンティティ又は前記ＮＲ  ＰＤＣＰエンティティを解放した後に、ＲＬＣエンティティの解放、及びロジカルチャネルの解放、及びＤＲＢ識別子の解放を行い、
前記端末装置に設定されているＥＰＳベアラ識別子の値のうち、前記ＲＲＣコネクション再設定メッセージに含まていないＥＰＳベアラ識別子の値に対応する各ＤＲＢに対し、
ＤＲＢ解放を行う、処理である、
基地局装置。
【請求項９】
前記ＤＲＢ解放の処理において、
前記ＤＲＢにＥ−ＵＴＲＡ  ＰＤＣＰエンティティが設定されている場合には、前記Ｅ−ＵＴＲＡ  ＰＤＣＰエンティティの解放を行い、
前記ＤＲＢにＥ−ＵＴＲＡ  ＰＤＣＰエンティティが設定されていない場合には、ＲＬＣエンティティの再確立、及びＮＲ  ＰＤＣＰエンティティの解放を行う、処理である
請求項８に記載の基地局装置。
【請求項１０】
端末装置と通信する基地局装置の方法であって、
端末装置にＲＲＣコネクション再設定メッセージを送信し、
前記端末装置に前記ＲＲＣコネクション再設定メッセージに従って処理を行わせ、
前記処理は、
前記ＲＲＣコネクション再設定メッセージにフル設定が適用される事を示す情報が含まれている場合には、
前記端末装置がＥ−ＵＴＲＡ／５ＧＣ又はＮＧＥＮ−ＤＣを実行している事に基づいて、
前記端末装置が設定している各ＤＲＢ識別子に対応するＤＲＢに対し、
ＲＬＣエンティティの再確立、及びＮＲ  ＰＤＣＰエンティティの解放、及びＲＬＣエンティティの解放、及びロジカルチャネルの解放、及びＤＲＢ識別子の解放を行い、
前記ＤＲＢに対応しているＳＤＡＰエンティティに前記ＤＲＢの解放を通知する、処理である、
方法。
【請求項１１】
端末装置と通信する基地局装置の方法であって、
端末装置にＲＲＣコネクション再設定メッセージを送信し、
前記端末装置に前記ＲＲＣコネクション再設定メッセージに従って処理を行わせ、
前記処理は、
前記ＲＲＣコネクション再設定メッセージにフル設定が適用される事を示す情報が含まれている場合には、
前記端末装置がＥ−ＵＴＲＡ／５ＧＣ又はＮＧＥＮ−ＤＣを実行していない事に基づい
て、
前記端末装置に設定されているＥＰＳベアラ識別子の値のうち、前記ＲＲＣコネクション再設定メッセージに含まれるＥＰＳベアラ識別子の値に対応する各ＤＲＢに対し、
前記ＤＲＢにＥ−ＵＴＲＡ  ＰＤＣＰエンティティが設定されている場合には、前記Ｅ−ＵＴＲＡ  ＰＤＣＰエンティティの解放を行い、前記ＤＲＢにＥ−ＵＴＲＡ  ＰＤＣＰエンティティが設定されていない場合にはＲＬＣエンティティの再確立、及びＮＲ  ＰＤＣＰエンティティの解放を行い、
前記Ｅ−ＵＴＲＡ  ＰＤＣＰエンティティ又は前記ＮＲ  ＰＤＣＰエンティティを解放した後に、ＲＬＣエンティティの解放、及びロジカルチャネルの解放、及びＤＲＢ識別子の解放を行い、
前記端末装置に設定されているＥＰＳベアラ識別子の値のうち、前記ＲＲＣコネクション再設定メッセージに含まていないＥＰＳベアラ識別子の値に対応する各ＤＲＢに対し、
ＤＲＢ解放を行う、処理である、
方法。
【請求項１２】
前記ＤＲＢ解放の処理において、
前記ＤＲＢにＥ−ＵＴＲＡ  ＰＤＣＰエンティティが設定されている場合には、前記Ｅ−ＵＴＲＡ  ＰＤＣＰエンティティの解放を行い、
前記ＤＲＢにＥ−ＵＴＲＡ  ＰＤＣＰエンティティが設定されていない場合には、ＲＬＣエンティティの再確立、及びＮＲ  ＰＤＣＰエンティティの解放を行う、処理である
請求項１１に記載の方法。
【発明の詳細な説明】
【技術分野】
【０００１】
本発明は、端末装置、基地局装置、方法、および、集積回路に関する。
【背景技術】
【０００２】
セルラ−移動通信の無線アクセス方式および無線ネットワーク（以下、「Ｌｏｎｇ  Ｔｅｒｍ  Ｅｖｏｌｕｔｉｏｎ（ＬＴＥ：登録商標）」、または、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ：ＥＵＴＲＡ」と称する。）、及びコアネットワーク（以下、「Ｅｖｏｌｖｅｄ  Ｐａｃｋｅｔ  Ｃｏｒｅ：ＥＰＣ」）が、第三世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）において検討されている。
【０００３】
また、３ＧＰＰにおいて、第５世代（５Ｇ：５  Ｇｅｎｅｒａｔｉｏｎ）のセルラ−システムに向けた無線アクセス方式および無線ネットワーク技術として、ＬＴＥの拡張技術であるＬＴＥ−Ａｄｖａｎｃｅｄ  Ｐｒｏおよび新しい無線アクセス技術であるＮＲ（Ｎｅｗ  Ｒａｄｉｏ  ｔｅｃｈｎｏｌｏｇｙ）の技術検討及び規格策定が行われている（非特許文献１）。また第５世代セルラーシステムに向けたコアネットワークである、５ＧＣ（５  Ｇｅｎｅｒａｔｉｏｎ  Ｃｏｒｅ  Ｎｅｔｗｏｒｋ）の検討も行われている（非特許文献２）。
【先行技術文献】
【非特許文献】
【０００４】
【非特許文献１】３ＧＰＰ  ＲＰ−１７０８５５，”Ｗｏｒｋ  Ｉｔｅｍ  ｏｎ  Ｎｅｗ  Ｒａｄｉｏ  （ＮＲ）  Ａｃｃｅｓｓ Ｔｅｃｈｎｏｌｏｇｙ”
【非特許文献２】３ＧＰＰ  ＴＳ  ２３．５０１,“Ｓｙｓｔｅｍ  Ａｒｃｈｉｔｅｃｔｕｒｅ  ｆｏｒ  ｔｈｅ  ５Ｇ  Ｓｙｓｔｅｍ；  Ｓｔａｇｅ  ２”
【非特許文献３】３ＧＰＰ  ＴＳ  ３６．３００,  “Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）ａｎｄ  Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  Ｎｅｔｗｏｒｋ  （Ｅ−ＵＴＲＡＮ）；Ｏｖｅｒａｌｌ  ｄｅｓｃｒｉｐｔｉｏｎ；  Ｓｔａｇｅ  ２”
【非特許文献４】３ＧＰＰ  ＴＳ  ３６．３３１,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｒａｄｉｏ  Ｒｅｓｏｕｒｃｅ  Ｃｏｎｔｒｏｌ  （ＲＲＣ）；Ｐｒｏｔｏｃｏｌ  ｓｐｅｃｉｆｉｃａｔｉｏｎｓ”
【非特許文献５】３ＧＰＰ  ＴＳ  ３６．３２３,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｐａｃｋｅｔ  Ｄａｔａ  Ｃｏｎｖｅｒｇｅｎｃｅ  Ｐｒｏｔｏｃｏｌ  （ＰＤＣＰ）  ｓｐｅｃｉｆｉｃａｔｉｏｎ”
【非特許文献６】３ＧＰＰ  ＴＳ  ３６．３２２,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｒａｄｉｏ  Ｌｉｎｋ  Ｃｏｎｔｒｏｌ  （ＲＬＣ）  ｐｒｏｔｏｃｏｌ  ｓｐｅｃｉｆｉｃａｔｉｏｎ”
【非特許文献７】３ＧＰＰ  ＴＳ  ３６．３２１,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ”
【非特許文献８】３ＧＰＰ  ＴＳ  ３７．３４０,“ＥｖｏｌｖｅｄＵｎｉｖｅｒｓａｌ  Ｔｅｒｅｓｔｒｉａｌ  Ｒａｄｉｏ  Ａｃｃｅｓｓ  （Ｅ−ＵＴＲＡ）ａｎｄ  ＮＲ;  Ｍｕｌｔｉ−Ｃｏｎｎｅｃｔｉｖｉｔｙ;  Ｓｔａｇｅ  ２”
【非特許文献９】３ＧＰＰ  ＴＳ  ３８．３００,  “ＮＲ；ＮＲ  ａｎｄ  ＮＧ−ＲＡＮ  Ｏｖｅｒａｌｌ  ｄｅｓｃｒｉｐｔｉｏｎ；  Ｓｔａｇｅ  ２”
【非特許文献１０】３ＧＰＰ  ＴＳ  ３８．３３１,“ＮＲ；Ｒａｄｉｏ  Ｒｅｓｏｕｒｃｅ  Ｃｏｎｔｒｏｌ  （ＲＲＣ）；Ｐｒｏｔｏｃｏｌ  ｓｐｅｃｉｆｉｃａｔｉｏｎｓ”
【非特許文献１１】３ＧＰＰ  ＴＳ  ３８．３２３,“ＮＲ；Ｐａｃｋｅｔ  Ｄａｔａ  Ｃｏｎｖｅｒｇｅｎｃｅ  Ｐｒｏｔｏｃｏｌ  （ＰＤＣＰ）  ｓｐｅｃｉｆｉｃａｔｉｏｎ”
【非特許文献１２】３ＧＰＰ  ＴＳ  ３８．３２２,“ＮＲ；Ｒａｄｉｏ  Ｌｉｎｋ  Ｃｏｎｔｒｏｌ  （ＲＬＣ）  ｐｒｏｔｏｃｏｌ  ｓｐｅｃｉｆｉｃａｔｉｏｎ”
【非特許文献１３】３ＧＰＰ  ＴＳ  ３８．３２１,“ＮＲ；Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ”
【非特許文献１４】３ＧＰＰ  ＴＳ  ２３．４０１  ｖ１４．３．０，“Ｇｅｎｅｒａｌ  Ｐａｃｋｅｔ  Ｒａｄｉｏ  Ｓｅｒｖｉｃｅ  （ＧＰＲＳ）  ｅｎｈａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）  ａｃｃｅｓｓ”
【非特許文献１５】３ＧＰＰ  ＴＳ  ２３．５０２,“Ｐｒｏｃｅｄｕｒｅ  ｆｏｒ  ５Ｇ  Ｓｙｓｔｅｍ；  Ｓｔａｇｅ  ２”
【非特許文献１６】３ＧＰＰ  ＴＳ  ３７．３２４,  “ＮＲ；Ｓｅｒｖｉｃｅ  Ｄａｔａ  Ａｄａｐｔａｔｉｏｎ  Ｐｒｏｔｏｃｏｌ  （ＳＤＡＰ）  ｓｐｅｃｉｆｉｃａｔｉｏｎ”
【非特許文献１７】３ＧＰＰ  ＲＰ−１６１２６６、  “５Ｇ  Ａｒｃｈｉｔｅｃｔｕｒｅ  Ｏｐｔｉｏｎｓ−Ｆｕｌｌ  Ｓｅｔ”
【発明の概要】
【発明が解決しようとする課題】
【０００５】
ＮＲの技術検討の一つとして、Ｅ−ＵＴＲＡとＮＲの両方のＲＡＴ（Ｒａｄｉｏ  Ａｃｃｅｓｓ  Ｔｅｃｈｎｏｌｏｇｙ）のセルをＲＡＴ毎にセルグループ化してＵＥに割り当て、端末装置と１つ以上の基地局装置とが通信する仕組み（ＭＲ−ＤＣ：Ｍｕｌｔｉ−ＲＡＴ  Ｄｕａｌ  Ｃｏｎｎｅｃｔｉｖｉｔｙ）が検討されている（非特許文献８）。
【０００６】
しかしながら、Ｅ−ＵＴＲＡとＮＲとで利用する通信プロトコルのフォーマットや機能が異なるため、ＲＡＴとしてＥ−ＵＴＲＡのみを用いる従来のＬＴＥでのＤｕａｌ  Ｃｏｎｎｅｃｔｉｖｉｔｙに比べ、プロトコル処理が複雑になり、基地局装置と端末装置との通信を効率的に行うことができないという課題があった。
【０００７】
本発明の一態様は、上記した事情に鑑みてなされたもので、基地局装置との通信を効率的に行うことができる端末装置、基地局装置、該端末装置に用いられる方法、該端末装置に実装される集積回路を提供することを目的の一つとする。
【課題を解決するための手段】
【０００８】
上記の目的を達成するために、本発明の一態様は、以下のような手段を講じた。すなわち基地局装置と通信する端末装置であって、基地局装置からＲＲＣコネクション再設定メッセージを受信する受信部と、前記ＲＲＣコネクション再設定メッセージにフル設定が適用される事を示す情報が含まれている場合には、前記端末装置がＥ−ＵＴＲＡ／５ＧＣ又はＮＧＥＮ−ＤＣを実行している事に基づいて、前記端末装置が設定している各ＤＲＢ識別子に対応するＤＲＢに対し、ＲＬＣエンティティの再確立、及びＮＲ  ＰＤＣＰエンテ
ィティの解放、及びＲＬＣエンティティの解放、及びロジカルチャネルの解放、及びＤＲＢ識別子の解放を行い、前記ＤＲＢに対応しているＳＤＡＰエンティティに前記ＤＲＢの解放を通知する、処理を行う処理部と、を有する。
【０００９】
また本発明の一態様は、基地局装置と通信する端末装置であって、基地局装置からＲＲＣコネクション再設定メッセージを受信する受信部と、前記ＲＲＣコネクション再設定メッセージにフル設定が適用される事を示す情報が含まれている場合には、前記端末装置がＥ−ＵＴＲＡ／５ＧＣ又はＮＧＥＮ−ＤＣを実行していない事に基づいて、前記端末装置に設定されているＥＰＳベアラ識別子の値のうち、前記ＲＲＣコネクション再設定メッセージに含まれるＥＰＳベアラ識別子の値に対応する各ＤＲＢに対し、前記ＤＲＢにＥ−ＵＴＲＡ  ＰＤＣＰエンティティが設定されている場合には、前記Ｅ−ＵＴＲＡ  ＰＤＣＰエンティティの解放を行い、前記ＤＲＢにＥ−ＵＴＲＡ  ＰＤＣＰエンティティが設定されていない場合にはＲＬＣエンティティの再確立、及びＮＲ  ＰＤＣＰエンティティの解放を行い、前記Ｅ−ＵＴＲＡ  ＰＤＣＰエンティティ又は前記ＮＲ  ＰＤＣＰエンティティを解放した後に、ＲＬＣエンティティの解放、及びロジカルチャネルの解放、及びＤＲＢ識別子の解放を行い、前記端末装置に設定されているＥＰＳベアラ識別子の値のうち、前記ＲＲＣコネクション再設定メッセージに含まていないＥＰＳベアラ識別子の値に対応する各ＤＲＢに対し、ＤＲＢ解放を行う、処理を行う処理部と、を有する。
【００１０】
また本発明の一態様は、基地局装置と通信する端末装置の方法であって、基地局装置からＲＲＣコネクション再設定メッセージを受信し、前記ＲＲＣコネクション再設定メッセージにフル設定が適用される事を示す情報が含まれている場合には、前記端末装置がＥ−ＵＴＲＡ／５ＧＣ又はＮＧＥＮ−ＤＣを実行している事に基づいて、前記端末装置が設定している各ＤＲＢ識別子に対応するＤＲＢに対し、ＲＬＣエンティティの再確立、及びＮＲ  ＰＤＣＰエンティティの解放、及びＲＬＣエンティティの解放、及びロジカルチャネルの解放、及びＤＲＢ識別子の解放を行い、前記ＤＲＢに対応しているＳＤＡＰエンティティに前記ＤＲＢの解放を通知する、
【００１１】
また本発明の一態様は、基地局装置と通信する端末装置の方法であって、基地局装置からＲＲＣコネクション再設定メッセージを受信し、前記ＲＲＣコネクション再設定メッセージにフル設定が適用される事を示す情報が含まれている場合には、前記端末装置がＥ−ＵＴＲＡ／５ＧＣ又はＮＧＥＮ−ＤＣを実行していない事に基づいて、前記端末装置に設定されているＥＰＳベアラ識別子の値のうち、前記ＲＲＣコネクション再設定メッセージに含まれるＥＰＳベアラ識別子の値に対応する各ＤＲＢに対し、前記ＤＲＢにＥ−ＵＴＲＡ  ＰＤＣＰエンティティが設定されている場合には、前記Ｅ−ＵＴＲＡ  ＰＤＣＰエンティティの解放を行い、前記ＤＲＢにＥ−ＵＴＲＡ  ＰＤＣＰエンティティが設定されていない場合にはＲＬＣエンティティの再確立、及びＮＲ  ＰＤＣＰエンティティの解放を行い、前記Ｅ−ＵＴＲＡ  ＰＤＣＰエンティティ又は前記ＮＲ  ＰＤＣＰエンティティを解放した後に、ＲＬＣエンティティの解放、及びロジカルチャネルの解放、及びＤＲＢ識別子の解放を行い、前記端末装置に設定されているＥＰＳベアラ識別子の値のうち、前記ＲＲＣコネクション再設定メッセージに含まていないＥＰＳベアラ識別子の値に対応する各ＤＲＢに対し、ＤＲＢ解放を行う。
【００１２】
また本発明の一態様は、端末装置と通信する基地局装置であって、端末装置にＲＲＣコネクション再設定メッセージを送信する送信部と、前記端末装置に前記ＲＲＣコネクション再設定メッセージに従って処理を行わせる処理部とを有し、前記処理は、前記ＲＲＣコネクション再設定メッセージにフル設定が適用される事を示す情報が含まれている場合には、前記端末装置がＥ−ＵＴＲＡ／５ＧＣ又はＮＧＥＮ−ＤＣを実行している事に基づいて、前記端末装置が設定している各ＤＲＢ識別子に対応するＤＲＢに対し、ＲＬＣエンティティの再確立、及びＮＲ  ＰＤＣＰエンティティの解放、及びＲＬＣエンティティの解
放、及びロジカルチャネルの解放、及びＤＲＢ識別子の解放を行い、前記ＤＲＢに対応しているＳＤＡＰエンティティに前記ＤＲＢの解放を通知する、処理である。
【００１３】
また本発明の一態様は、端末装置と通信する基地局装置であって、  端末装置にＲＲＣコネクション再設定メッセージを送信する送信部と、前記端末装置に前記ＲＲＣコネクション再設定メッセージに従って処理を行わせる処理部とを有し、前記処理は、前記ＲＲＣコネクション再設定メッセージにフル設定が適用される事を示す情報が含まれている場合には、前記端末装置がＥ−ＵＴＲＡ／５ＧＣ又はＮＧＥＮ−ＤＣを実行していない事に基づいて、前記端末装置に設定されているＥＰＳベアラ識別子の値のうち、前記ＲＲＣコネクション再設定メッセージに含まれるＥＰＳベアラ識別子の値に対応する各ＤＲＢに対し、前記ＤＲＢにＥ−ＵＴＲＡ  ＰＤＣＰエンティティが設定されている場合には、前記Ｅ−ＵＴＲＡ  ＰＤＣＰエンティティの解放を行い、前記ＤＲＢにＥ−ＵＴＲＡ  ＰＤＣＰエンティティが設定されていない場合にはＲＬＣエンティティの再確立、及びＮＲ  ＰＤＣＰエンティティの解放を行い、前記Ｅ−ＵＴＲＡ  ＰＤＣＰエンティティ又は前記ＮＲ
ＰＤＣＰエンティティを解放した後に、ＲＬＣエンティティの解放、及びロジカルチャネルの解放、及びＤＲＢ識別子の解放を行い、前記端末装置に設定されているＥＰＳベアラ識別子の値のうち、前記ＲＲＣコネクション再設定メッセージに含まていないＥＰＳベアラ識別子の値に対応する各ＤＲＢに対し、ＤＲＢ解放を行う、処理である。
【００１４】
また本発明の一態様は、端末装置と通信する基地局装置の方法であって、端末装置にＲＲＣコネクション再設定メッセージを送信し、前記端末装置に前記ＲＲＣコネクション再設定メッセージに従って処理を行わせ、前記処理は、前記ＲＲＣコネクション再設定メッセージにフル設定が適用される事を示す情報が含まれている場合には、前記端末装置がＥ−ＵＴＲＡ／５ＧＣ又はＮＧＥＮ−ＤＣを実行している事に基づいて、前記端末装置が設定している各ＤＲＢ識別子に対応するＤＲＢに対し、ＲＬＣエンティティの再確立、及びＮＲ  ＰＤＣＰエンティティの解放、及びＲＬＣエンティティの解放、及びロジカルチャネルの解放、及びＤＲＢ識別子の解放を行い、前記ＤＲＢに対応しているＳＤＡＰエンティティに前記ＤＲＢの解放を通知する、処理である。
【００１５】
また本発明の一態様は、端末装置と通信する基地局装置の方法であって、端末装置にＲＲＣコネクション再設定メッセージを送信し、前記端末装置に前記ＲＲＣコネクション再設定メッセージに従って処理を行わせ、前記処理は、前記ＲＲＣコネクション再設定メッセージにフル設定が適用される事を示す情報が含まれている場合には、前記端末装置がＥ−ＵＴＲＡ／５ＧＣ又はＮＧＥＮ−ＤＣを実行していない事に基づいて、前記端末装置に設定されているＥＰＳベアラ識別子の値のうち、前記ＲＲＣコネクション再設定メッセージに含まれるＥＰＳベアラ識別子の値に対応する各ＤＲＢに対し、前記ＤＲＢにＥ−ＵＴＲＡ  ＰＤＣＰエンティティが設定されている場合には、前記Ｅ−ＵＴＲＡ  ＰＤＣＰエンティティの解放を行い、前記ＤＲＢにＥ−ＵＴＲＡ  ＰＤＣＰエンティティが設定されていない場合にはＲＬＣエンティティの再確立、及びＮＲ  ＰＤＣＰエンティティの解放を行い、前記Ｅ−ＵＴＲＡ  ＰＤＣＰエンティティ又は前記ＮＲ  ＰＤＣＰエンティティを解放した後に、ＲＬＣエンティティの解放、及びロジカルチャネルの解放、及びＤＲＢ識別子の解放を行い、前記端末装置に設定されているＥＰＳベアラ識別子の値のうち、前記ＲＲＣコネクション再設定メッセージに含まていないＥＰＳベアラ識別子の値に対応する各ＤＲＢに対し、ＤＲＢ解放を行う、処理である。
【００１６】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００１７】
本発明の一態様によれば、端末装置は、プロトコル処理の複雑さを軽減し、効率的に通信を行うことができる。
【図面の簡単な説明】
【００１８】
【図１】本発明の各実施の形態に係る通信システムの概略図。
【図２】本発明の各実施の形態における、Ｅ−ＵＴＲＡにおける端末装置と基地局装置のＵＰ及びＣＰのプロトコルスタック図。
【図３】本発明の各実施の形態における、ＮＲにおける端末装置と基地局装置のＵＰ及びＣＰのプロトコルスタック図。
【図４】本発明の各実施の形態におけるＲＲＣコネクション再設定手順のフローの一例を示す図
【図５】本発明の各実施の形態における端末装置の構成を示すブロック図。
【図６】本発明の各実施の形態における基地局装置の構成を示すブロック図。
【図７】本発明の各実施の形態における無線ベアラ設定に係る情報、及び情報のＡＳＮ．１（Ａｂｓｔｒａｃｔ  Ｓｙｎｔａｘ  Ｎｏｔａｔｉｏｎ  Ｏｎｅ）記述の一例を示す図の一部（一枚目）。
【図８】本発明の各実施の形態における無線ベアラ設定に係る情報、及び情報のＡＳＮ．１（Ａｂｓｔｒａｃｔ  Ｓｙｎｔａｘ  Ｎｏｔａｔｉｏｎ  Ｏｎｅ）記述の一例を示す図の一部（二枚目）。
【図９】本発明の実施の形態における処理方法の一例。
【図１０】本発明の実施の形態における処理方法の別の一例。
【発明を実施するための形態】
【００１９】
以下、本発明の実施の形態について、図面を参照して詳細に説明する。
【００２０】
ＬＴＥ（およびＬＴＥ−Ａ  Ｐｒｏ）とＮＲは、異なるＲＡＴとして定義されてもよい。またＮＲは、ＬＴＥに含まれる技術として定義されてもよい。ＬＴＥは、ＮＲに含まれる技術として定義されてもよい。また、ＮＲとＭｕｌｔｉ  ＲＡＴ  Ｄｕａｌ  ｃｏｎｎｅｃｔｉｖｉｔｙで接続可能なＬＴＥ、又は５Ｇコアネットワーク（５ＧＣ）と接続可能なＬＴＥは、従来のＬＴＥと区別されてもよい。本実施形態はＮＲ、ＬＴＥおよび他のＲＡＴに適用されてよい。以下の説明では、ＬＴＥおよびＮＲに関連する用語を用いて説明するが、他の用語を用いる他の技術において適用されてもよい。また本実施形態でのＥ−ＵＴＲＡという用語は、ＬＴＥという用語に置き換えられても良いし、ＬＴＥという用語はＥ−ＵＴＲＡという用語に置き換えられても良い。
【００２１】
図１は本発明の各実施の形態に係る通信システムの概略図である。
【００２２】
Ｅ−ＵＴＲＡ１００は非特許文献３等に記載の無線アクセス技術であり、１つ又は複数の周波数帯域で構成するセルグループ（Ｃｅｌｌ  Ｇｒｏｕｐ：ＣＧ）から成る。ｅＮＢ（Ｅ−ＵＴＲＡＮ  Ｎｏｄｅ  Ｂ）１０２は、Ｅ−ＵＴＲＡの基地局装置である。ＥＰＣ（Ｅｖｏｌｖｅｄ  Ｐａｃｋｅｔ  Ｃｏｒｅ）１０４は、非特許文献１４等に記載のコア網であり、Ｅ−ＵＴＲＡ用コア網として設計された。インタフェース１１２はｅＮＢ１０２とＥＰＣ１０４の間のインタフェース（ｉｎｔｅｒｆａｃｅ）であり、制御信号が通る制御プレーン（Ｃｏｎｔｒｏｌ  Ｐｌａｎｅ：ＣＰ）と、そのユーザデータが通るユーザプレーン（Ｕｓｅｒ  Ｐｌａｎｅ：ＵＰ）が存在する。
【００２３】
ＮＲ１０６は非特許文献９等に記載の無線アクセス技術であり、１つ又は複数の周波数帯域で構成するセルグループ（Ｃｅｌｌ  Ｇｒｏｕｐ：ＣＧ）から成る。ｇＮＢ（ｇ  Ｎｏｄｅ  Ｂ）１０８は、ＮＲの基地局装置である。５ＧＣ１１０は、非特許文献２等に記
載の５Ｇコア網であり、ＮＲ用コア網として設計されているが、５ＧＣに接続する機能をもつＥ−ＵＴＲＡのコア網として使われても良い。以下Ｅ−ＵＴＲＡとは５ＧＣに接続する機能をもつＥ−ＵＴＲＡを含んでも良い。
【００２４】
インタフェース１１４はｅＮＢ１０２と５ＧＣ１１０の間のインタフェース、インタフェース１１６はｇＮＢ１０８と５ＧＣ１１０の間のインタフェース、インタフェース１１８はｇＮＢ１０８とＥＰＣ１０４の間のインタフェース、インタフェース１２０はｅＮＢ１０２とｇＮＢ１０８の間のインタフェース、インタフェース１２４はＥＰＣ１０４と５ＧＣ１１０間のインタフェースである。インタフェース１１４、インタフェース１１６、インタフェース１１８、インタフェース１２０、インタフェース１２４はＣＰのみ、又はＵＰのみ、又はＣＰ及びＵＰ両方を通すインタフェースである。また、インタフェース１１４、インタフェース１１６、インタフェース１１８、インタフェース１２０、インタフェース１２４は、通信事業者が提供する通信システムに応じて存在しない場合もある。
【００２５】
ＵＥ１２２はＥ−ＵＴＲＡに対応、又はＮＲに対応、又はＥ−ＵＴＲＡ及びＮＲ両方対応した端末装置である。
【００２６】
図２は本発明の各実施の形態における、Ｅ−ＵＴＲＡ無線アクセスレイヤにおける端末装置と基地局装置のＵＰ及びＣＰのプロトコルスタック（Ｐｒｏｔｏｃｏｌ  Ｓｔａｃｋ）図である。
【００２７】
図２（Ａ）はＵＥ１２２がｅＮＢ１０２と通信を行う際に用いるＵＰのプロトコルスタック図である。
【００２８】
ＰＨＹ（Ｐｈｙｓｉｃａｌ  ｌａｙｅｒ）２００は、無線物理層（無線物理レイヤ）であり、物理チャネル（Ｐｈｙｓｉｃａｌ  Ｃｈａｎｎｅｌ）を利用して上位層（上位レイヤ）に伝送サービスを提供する。ＰＨＹ２００は、後述する上位のＭＡＣ（Ｍｅｄｉｕｍ
Ａｃｃｅｓｓ  Ｃｏｎｔｒｏｌ  ｌａｙｅｒ）２０２とトランスポートチャネル（Ｔｒａｎｓｐｏｒｔ  Ｃｈａｎｎｅｌ）で接続される。トランスポートチャネルを介して、ＭＡＣ２０２とＰＨＹ２００の間でデ−タが移動する。ＵＥ１２２とｅＮＢ１０２のＰＨＹ間において、無線物理チャネルを介してデ−タの送受信が行われる。
【００２９】
ＭＡＣ２０２は、多様な論理（ロジカル）チャネル（ＬＣＨ：Ｌｏｇｉｃａｌ  Ｃｈａｎｎｅｌ）を多様なトランスポートチャネルにマッピングを行う媒体アクセス制御層（媒体アクセス制御レイヤ）である。ＭＡＣ２０２は、後述する上位のＲＬＣ（Ｒａｄｉｏ  Ｌｉｎｋ  Ｃｏｎｔｒｏｌ  ｌａｙｅｒ）２０４と、論理チャネルで接続される。論理チャネルは、伝送される情報の種類によって大きく分けられ、制御情報を伝送する制御チャネルとユ−ザ情報を伝送するトラフィックチャネルに分けられる。ＭＡＣ２０２は、間欠受送信（ＤＲＸ・ＤＴＸ）を行うためにＰＨＹ２００の制御を行う機能、ランダムアクセス（Ｒａｎｄｏｍ  Ａｃｃｅｓｓ）手順を実行する機能、送信電力の情報を通知する機能、ＨＡＲＱ制御を行う機能などを持つ（非特許文献７）。
【００３０】
ＲＬＣ２０４は、後述する上位のＰＤＣＰ（Ｐａｃｋｅｔ  Ｄａｔａ  Ｃｏｎｖｅｒｇｅｎｃｅ  Ｐｒｏｔｏｃｏｌ  Ｌａｙｅｒ）２０６から受信したデ−タを分割（Ｓｅｇｍｅｎｔａｔｉｏｎ）し、下位層（下位レイヤ）が適切にデ−タ送信できるようにデ−タサイズを調節する無線リンク制御層（無線リンク制御レイヤ）である。また、ＲＬＣ２００は、各デ−タが要求するＱｏＳ（Ｑｕａｌｉｔｙ  ｏｆ  Ｓｅｒｖｉｃｅ）を保証するための機能も持つ。すなわち、ＲＬＣ２０４は、デ−タの再送制御等の機能を持つ（非特許文献６）。
【００３１】
ＰＤＣＰ２０６は、ユーザデータであるＩＰパケット（ＩＰ  Ｐａｃｋｅｔ）を無線区間で効率的に伝送するためのパケットデータ収束プロトコル層（パケットデータ収束プロトコルレイヤ）である。ＰＤＣＰ２０６は、不要な制御情報の圧縮を行うヘッダ圧縮機能を持ってもよい。また、ＰＤＣＰ２０６は、デ−タの暗号化の機能も持ってもよい（非特許文献５）。
【００３２】
なお、ＭＡＣ２０２、ＲＬＣ２０４、ＰＤＣＰ２０６において処理されたデータの事を、それぞれＭＡＣ  ＰＤＵ（Ｐｒｏｔｏｃｏｌ  Ｄａｔａ  Ｕｎｉｔ）、ＲＬＣ  ＰＤＵ、ＰＤＣＰ  ＰＤＵと呼ぶ。また、ＭＡＣ２０２、ＲＬＣ２０４、ＰＤＣＰ２０６に上位層から渡されるデータ、又は上位層に渡すデータの事を、それぞれＭＡＣ  ＳＤＵ（Ｓｅｒｖｉｃｅ  Ｄａｔａ  Ｕｎｉｔ）、ＲＬＣ  ＳＤＵ、ＰＤＣＰ  ＳＤＵと呼ぶ。
【００３３】
図２（Ｂ）はＵＥ１２２がｅＮＢ１０２と通信を行う際に用いるＣＰのプロトコルスタック図である。
【００３４】
ＣＰのプロトコルスタックには、ＰＨＹ２００、ＭＡＣ２０２、ＲＬＣ２０４、ＰＤＣＰ２０６に加え、ＲＲＣ（Ｒａｄｉｏ  Ｒｅｓｏｕｒｃｅ  Ｃｏｎｔｒｏｌ  ｌａｙｅｒ）２０８が存在する。ＲＲＣ２０８は、無線ベアラ（Ｒａｄｉｏ  Ｂｅａｒｅｒ：ＲＢ）の設定・再設定などを行い、論理チャネル、トランスポートチャネル及び物理チャネルの制御を行う無線リンク制御層（無線リンク制御レイヤ）である。ＲＢは、シグナリグ無線ベアラ（Ｓｉｇｎａｌｉｎｇ  Ｒａｄｉｏ  Ｂｅａｒｅｒ：ＳＲＢ）とデ−タ無線ベアラ（Ｄａｔａ  Ｒａｄｉｏ  Ｂｅａｒｅｒ：ＤＲＢ）とに分けられてもよく、ＳＲＢは、制御情報であるＲＲＣメッセージを送信する経路として利用されてもよい。ＤＲＢは、ユーザデータを送信する経路として利用されてもよい。ｅＮＢ１０２とＵＥ１２２のＲＲＣ２０８間で各ＲＢの設定が行われてもよい（非特許文献４）。
【００３５】
前述のＭＡＣ２０２、ＲＬＣ２０４、ＰＤＣＰ２０６、及びＲＲＣ２０８の機能分類は一例であり、各機能の一部あるいは全部が実装されなくてもよい。また、各層の機能の一部あるいは全部が他の層に含まれてもよい。また、前述のＭＡＣ２０２、ＲＬＣ２０４、ＰＤＣＰ２０６、及びＲＲＣ２０８の各レイヤ、及び／又は（ａｎｄ／ｏｒ）各レイヤの機能の事をエンティティ（ｅｎｔｉｔｙ）と呼んでも良い。即ち、ＭＡＣレイヤの事をＭＡＣエンティティ、ＲＬＣレイヤの事をＲＬＣエンティティ、ＰＤＣＰレイヤの事をＰＤＣＰエンティティ、及びＲＲＣレイヤの事をＲＲＣエンティティと呼んでも良い。
【００３６】
なお、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、アプリケーションレイヤなどは、ＰＤＣＰレイヤの上位レイヤとなる（不図示）。またＲＲＣレイヤやＮＡＳ（ｎｏｎ  Ａｃｃｅｓｓ  Ｓｔｒａｒｕｍ）レイヤもＰＤＣＰレイヤの上位レイヤとなる（不図示）。言い換えれば、ＰＤＣＰレイヤはＲＲＣレイヤ、ＮＡＳレイヤ、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、アプリケーションレイヤの下位レイヤとなる。
【００３７】
図３は本発明の各実施の形態における、ＮＲ無線アクセスレイヤにおける端末装置と基地局装置のＵＰ及びＣＰのプロトコルスタック（Ｐｒｏｔｏｃｏｌ  Ｓｔａｃｋ）図である。
【００３８】
図３（Ａ）はＵＥ１２２がｇＮＢ１０８と通信を行う際に用いるＵＰのプロトコルスタック図である。
【００３９】
ＰＨＹ（Ｐｈｙｓｉｃａｌ  ｌａｙｅｒ）３００は、ＮＲの無線物理層（無線物理レイヤ）であり、物理チャネル（Ｐｈｙｓｉｃａｌ  Ｃｈａｎｎｅｌ）を利用して上位層に伝送サービスを提供してもよい。ＰＨＹ３００は、後述する上位のＭＡＣ（Ｍｅｄｉｕｍ  Ａｃｃｅｓｓ  Ｃｏｎｔｒｏｌ  ｌａｙｅｒ）３０２とトランスポートチャネル（Ｔｒａｎｓｐｏｒｔ  Ｃｈａｎｎｅｌ）で接続されてもよい。トランスポートチャネルを介して、ＭＡＣ３０２とＰＨＹ３００の間でデ−タが移動してもよい。ＵＥ１２２とｇＮＢ１０８のＰＨＹ間において、無線物理チャネルを介してデ−タの送受信が行われてもよい。
【００４０】
ＭＡＣ３０２は、多様な論理（ロジカル）チャネル（ＬＣＨ：Ｌｏｇｉｃａｌ  Ｃｈａｎｎｅｌ）を多様なトランスポートチャネルにマッピングを行う媒体アクセス制御層（媒体アクセス制御レイヤ）である。ＭＡＣ３０２は、後述する上位のＲＬＣ（Ｒａｄｉｏ  Ｌｉｎｋ  Ｃｏｎｔｒｏｌ  ｌａｙｅｒ）３０４と、論理チャネルで接続されてもよい。論理チャネルは、伝送される情報の種類によって大きく分けられ、制御情報を伝送する制御チャネルとユ−ザ情報を伝送するトラフィックチャネルに分けられてもよい。ＭＡＣ３０２は、間欠受送信（ＤＲＸ・ＤＴＸ）を行うためにＰＨＹ３００の制御を行う機能、ランダムアクセス（Ｒａｎｄｏｍ  Ａｃｃｅｓｓ）手順を実行する機能、送信電力の情報を通知する機能、ＨＡＲＱ制御を行う機能などを持ってもよい（非特許文献１３）。
【００４１】
ＲＬＣ３０４は、後述する上位のＰＤＣＰ（Ｐａｃｋｅｔ  Ｄａｔａ  Ｃｏｎｖｅｒｇｅｎｃｅ  Ｐｒｏｔｏｃｏｌ  Ｌａｙｅｒ）３０６から受信したデ−タを分割（Ｓｅｇｍｅｎｔａｔｉｏｎ）し、下位層が適切にデ−タ送信できるようにデ−タサイズを調節する無線リンク制御層（無線リンク制御レイヤ）である。また、ＲＬＣ３０４は、各デ−タが要求するＱｏＳ（Ｑｕａｌｉｔｙ  ｏｆ  Ｓｅｒｖｉｃｅ）を保証するための機能も持っても良い。すなわち、ＲＬＣ３０４は、デ−タの再送制御等の機能を持っても良い（非特許文献１２）。
【００４２】
ＰＤＣＰ３０６は、ユーザデータであるＩＰパケット（ＩＰ  Ｐａｃｋｅｔ）を無線区間で効率的に伝送するパケットデータ収束プロトコル層（パケットデータ収束プロトコルレイヤ）である。ＰＤＣＰ３０６、不要な制御情報の圧縮を行うヘッダ圧縮機能を持ってもよい。また、ＰＤＣＰ３０６は、デ−タの暗号化の機能も持ってもよい（非特許文献１１）。
【００４３】
ＳＤＡＰ（Ｓｅｒｖｉｃｅ  Ｄａｔａ  Ａｄａｐｔａｔｉｏｎ  Ｐｒｏｔｏｃｏｌ）３１０は、コアネットワークから基地局装置を介して端末装置に送られるダウンリンクのＱｏＳフローとＤＲＢとの対応付け（マッピング：ｍａｐｐｉｎｇ）、及び端末装置から基地局装置を介してコアネットワークに送られるアップリンクのＱｏＳフローと、ＤＲＢとのマッピングを行い、マッピングルール情報を格納する機能を持もつ、サービスデータ適応プロトコル層（サービスデータ適応プロトコルレイヤ）である（非特許文献１６）。端末装置が上位レイヤよりＳＤＡＰ  ＳＤＵをＱｏＳフロー情報と共にを受け取った際、格納されているＱｏＳフローとＤＲＢとのマッピングルールに基づいて、ＳＤＡＰ  ＳＤＵを該当するＤＲＢに割り当てる。ＱｏＳフローとＤＲＢとのマッピングルールが格納されていない場合、ＳＤＡＰ  ＳＤＵをデフォルト無線ベアラ（デフォルトＤＲＢ）に割り当てても良い。ＱｏＳフローは同じＱｏＳポリシーによって処理される、一つ又は複数のサービスデータフロー（Ｓｅｒｖｉｃｅ  Ｄａｔａ  Ｆｌｏｗ：ＳＤＦ）から成る（非特許文献２）。またＳＤＡＰはダウンリンクＱｏＳフローの情報を基に、アップリンクのＱｏＳフローとＤＲＢとのマッピングを行う、リフレクティブＱｏＳ（Ｒｅｆｌｅｃｔｉｖｅ
ＱｏＳ）の機能を持っても良い。またＱｏＳフローとＤＲＢとの対応付けルールが変更になった場合には、エンドマーカー（Ｅｎｄ  Ｍａｒｋｅｒ）制御ＰＤＵを作成し、変更前のＤＲＢに送信する事により、ＳＤＡＰ  ＳＤＵの順番通りの配信（ｉｎ−ｓｅｑｕｅ
ｎｃｅ  ｄｅｌｉｖｅｒｙ）を保証しても良い（非特許文献２、非特許文献１６）。
【００４４】
エンドマーカー制御ＰＤＵとは、非特許文献１６に記載のＳＤＡＰ制御ＰＤＵで、ＵＥのＳＤＡＰエンティティが、本エンドマーカーＰＤＵのＱｏＳフロー識別子フィールドに含まれるＱｏＳフロー識別子に対応したＱｏＳフローと、本エンドマーカーＰＤＵが送信された無線ベアラとの対応（ｍａｐｐｉｎｇ）が終了する事を通知するために使われる。
【００４５】
なお、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、アプリケーションレイヤなどは、ＳＤＡＰレイヤの上位レイヤとなる（不図示）。またＲＲＣレイヤやＮＡＳ（ｎｏｎ  Ａｃｃｅｓｓ  Ｓｔｒａｒｕｍ）レイヤもＳＤＡＰレイヤの上位レイヤとなる（不図示）。ＮＡＳレイヤにおいて、サービスデータフローとＱｏＳフローとの対応付が行われる。言い換えれば、ＳＤＡＰレイヤはＲＲＣレイヤ、ＮＡＳレイヤ、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、アプリケーションレイヤ等の下位レイヤとなる。
【００４６】
なお、ＭＡＣ３０２、ＲＬＣ３０４、ＰＤＣＰ３０６、ＳＤＡＰ３１０において処理されたデータの事を、それぞれＭＡＣ  ＰＤＵ（Ｐｒｏｔｏｃｏｌ  Ｄａｔａ  Ｕｎｉｔ）、ＲＬＣ  ＰＤＵ、ＰＤＣＰ  ＰＤＵ、ＳＤＡＰ  ＰＤＵと呼んでも良い。また、ＭＡＣ２０２、ＲＬＣ２０４、ＰＤＣＰ２０６に上位層から渡されるデータ、又は上位層に渡すデータの事を、それぞれＭＡＣ  ＳＤＵ（Ｓｅｒｖｉｃｅ  Ｄａｔａ  Ｕｎｉｔ）、ＲＬＣ  ＳＤＵ、ＰＤＣＰ  ＳＤＵ、ＳＤＡＰ  ＳＤＵと呼んでも良い。
【００４７】
図３（Ｂ）はＵＥ１２２がｇＮＢ１０８と通信を行う際に用いるＣＰのプロトコルスタック図である。
【００４８】
ＣＰのプロトコルスタックには、ＰＨＹ３００、ＭＡＣ３０２、ＲＬＣ３０４、ＰＤＣＰ３０６に加え、ＲＲＣ（Ｒａｄｉｏ  Ｒｅｓｏｕｒｃｅ  Ｃｏｎｔｒｏｌ  ｌａｙｅｒ）３０８が存在する。ＲＲＣ３０８は、無線ベアラ（Ｒａｄｉｏ  Ｂｅａｒｅｒ：ＲＢ）の設定・再設定などを行い、論理チャネル、トランスポートチャネル及び物理チャネルの制御を行う無線リンク制御層（無線リンク制御レイヤ）である。ＲＢは、シグナリグ無線ベアラ（Ｓｉｇｎａｌｉｎｇ  Ｒａｄｉｏ  Ｂｅａｒｅｒ：ＳＲＢ）とデ−タ無線ベアラ（Ｄａｔａ  Ｒａｄｉｏ  Ｂｅａｒｅｒ：ＤＲＢ）とに分けられてもよく、ＳＲＢは、制御情報であるＲＲＣメッセージを送信する経路として利用されてもよい。ＤＲＢは、ユーザデータを送信する経路として利用されてもよい。ｇＮＢ１０８とＵＥ１２２のＲＲＣ３０８間で各ＲＢの設定が行われてもよい。またＲＢのうちＲＬＣ３０４とＭＡＣ３０２で構成される部分をＲＬＣベアラと呼んでも良い（非特許文献１０）。
【００４９】
前述のＭＡＣ３０２、ＲＬＣ３０４、ＰＤＣＰ３０６、ＳＤＡＰ３１０、及びＲＲＣ３０８の機能分類は一例であり、各機能の一部あるいは全部が実装されなくてもよい。また、各層（各レイヤ）の機能の一部あるいは全部が他の層（レイヤ）に含まれてもよい。また、前述のＭＡＣ３０２、ＲＬＣ３０４、ＰＤＣＰ３０６、ＳＤＡＰ３１０、及びＲＲＣ３０８の各レイヤ、及び／又は各レイヤの機能の事をエンティティ（ｅｎｔｉｔｙ）と呼んでも良い。即ち、ＭＡＣレイヤの事をＭＡＣエンティティ、ＲＬＣレイヤの事をＲＬＣエンティティ、ＰＤＣＰレイヤの事をＰＤＣＰエンティティ、及びＲＲＣレイヤの事をＲＲＣエンティティと呼んでも良い。
【００５０】
なお、本発明の各実施の形態では、以下Ｅ−ＵＴＲＡのプロトコルとＮＲのプロトコル
を区別するため、ＭＡＣ２０２、ＲＬＣ２０４、ＰＤＣＰ２０６、及びＲＲＣ２０８を、それぞれＥ−ＵＴＲＡ用ＭＡＣ又はＬＴＥ用ＭＡＣ、Ｅ−ＵＴＲＡ用ＲＬＣ又はＬＴＥ用ＲＬＣ、Ｅ−ＵＴＲＡ用ＰＤＣＰ又はＬＴＥ用ＰＤＣＰ、及びＥ−ＵＴＲＡ用ＲＲＣ又はＬＴＥ用ＲＲＣと呼ぶ事もある。また、ＭＡＣ３０２、ＲＬＣ３０４、ＰＤＣＰ３０６、ＲＲＣ３０８を、それぞれＮＲ用ＭＡＣ、ＮＲ用ＲＬＣ、ＮＲ用ＲＬＣ、及びＮＲ用ＲＲＣと呼ぶ事もある。又は、Ｅ−ＵＴＲＡ  ＰＤＣＰ又はＬＴＥ  ＰＤＣＰ、ＮＲ  ＰＤＣＰなどとスペースを用いて記述する場合もある。
【００５１】
また、図１に示す通り、ｅＮＢ１０２、ｇＮＢ１０８、ＥＰＣ１０４、５ＧＣ１１０は、インタフェース１１２、インタフェース１１６、インタフェース１１８、インタフェース１２０、及びインタフェース１１４を介して繋がってもよい。このため、多様な通信システムに対応するため、図２のＲＲＣ２０８は、図３のＲＲＣ３０８に置き換えられてもよい。また図２のＰＤＣＰ２０６は、図３のＰＤＣＰ３０６に置き換えられても良い。また、図３のＲＲＣ３０８は、図２のＲＲＣ２０８の機能を含んでも良い。また図３のＰＤＣＰ３０６は、図２のＰＤＣＰ２０６であっても良い。
【００５２】
（実施の形態）
図１から図１０を用いて、本発明の実施の形態を説明する。
【００５３】
図４は本発明の各実施の形態におけるＲＲＣコネクション再設定手順のフローの一例を示す図である。なお。ＲＲＣコネクション再設定手順はＲＲＣ再設定手順であっても良い。
【００５４】
ＲＲＣコネクション再設定手順（ＲＲＣ  Ｃｏｎｎｅｃｔｉｏｎ  Ｒｅｃｏｎｆｉｇｕｒａｔｉｏｎ）は、非特許文献４に記載の、ＬＴＥにおける無線ベアラ（Ｒａｄｉｏ  Ｂｅａｒｅｒ：ＲＢ）の確立、変更、解放、及びセカンダリセルの変更、解放等の設定を行う他、ハンドオーバ及び測定（Ｍｅｓｕｒｅｍｅｎｔ）等の設定のために用いられる手順である。一方ＲＲＣ再設定手順（ＲＲＣ  Ｒｅｃｏｎｆｉｇｕｒａｔｉｏｎ）は、非特許文献１０に記載の、ＮＲにおけるＲＢの確立、変更、解放、及びセカンダリセルの変更、解放等の設定を行う他、ハンドオーバ（同期を伴う再設定）及び測定（Ｍｅｓｕｒｅｍｅｎｔ）等の設定のために用いられる手順である。なお、上述のＲＢの確立、変更、解放、セカンダリセルの変更、解放、ハンドオーバ、測定等の設定を行うために、ＲＲＣコネクション再設定手順における各メッセージに含まれる情報の事を、本発明の実施の形態では、設定情報と呼ぶ。なお、設定情報は上述の設定に限らず、他の設定であっても良いし、ＲＲＣコネクション再設定手順に限らず、別の手順における各メッセージに含まれても良い。
【００５５】
またＲＲＣコネクション再設定手順は、ＭＲ−ＤＣにおいて、特にコア網がＥＰＣ１０４で、マスターノードがｅＮＢ１０２（拡張型ｅＮＢ１０２とも称する）である場合のＭＲ−ＤＣである、ＥＮ−ＤＣ（Ｅ−ＵＴＲＡ−ＮＲ  Ｄｕａｌ  Ｃｏｎｎｅｃｔｉｖｉｔｙ）（非特許文献１７に記載のオプション３及びオプション３ａ）、コア網が５ＧＣ１１０で、マスターノードがｅＮＢ１０２である場合のＭＲ−ＤＣである、ＮＧＥＮ−ＤＣ（ＮＧ−ＲＡＮ  Ｅ−ＵＴＲＡ−ＮＲ  Ｄｕａｌ  Ｃｏｎｎｅｃｔｉｖｉｔｙ）（非特許文献１７に記載のオプション７及びオプション７ａ）、及びｅＮＢ１０２（拡張型ｅＮＢ）がコア網として５ＧＣを用いる、Ｅ−ＵＴＲＡ／５ＧＣ（非特許文献１７に記載のオプション５）である場合には、ＲＲＣコネクション再設定手順には、ＬＴＥの設定情報だけでなく、非特許文献１０に記載の、ＮＲの設定情報をコンテナの形で含む。本発明の各実施の形態では、説明が煩雑になることを避けるために、ＲＲＣコネクション再設定手順という名称を用いて説明し、基地局装置としてｅＮＢ１０２を用いて説明する。なおＥＮ−ＤＣ、ＮＧＥＮ−ＤＣ、Ｅ−ＵＴＲＡ／５ＧＣ等のアーキテクチャーに対する名称は、この
通りで無く、他の名称で呼ばれても良い。
【００５６】
ＲＲＣコネクション再設定手順において、ＵＥ１２２はｅＮＢ１０２よりＲＲＣコネクション再設定メッセージ（ＲＲＣＣｎｎｅｃｔｉｏｎＲｅｃｏｎｆｉｇｒａｔｉｏｎ）を受信し（ステップＳ４００）、ＲＲＣコネクション再設定メッセージに含まれる設定情報に従って各種設定、例えば無線ベアラの設定などの処理を行う（ステップＳ４０２）。ステップＳ４０２の後、ＵＥ１２２はｅＮＢ１０２に、ＲＲＣコネクション再設定完了メッセージ（ＲＲＣＣｏｎｎｅｃｔｉｏｎＲｅｃｏｎｆｉｇｒａｔｉｏｎＣｏｍｐｌｅｔｅ）などを送っても良い（不図示）。なお、ＲＲＣコネクション再設定メッセージはＲＲＣコネクション再設定と言い換えても良く、ＲＲＣコネクション再設定完了メッセージはＲＲＣコネクション再設定完了と言いかえても良い。
【００５７】
図５は本発明の各実施の形態における端末装置（ＵＥ１２２）の構成を示すブロック図である。なお、説明が煩雑になることを避けるために、図５では、本発明と密接に関連する主な構成部のみを示す。
【００５８】
図５に示すＵＥ１２２は、ｅＮＢ１０２よりＲＲＣコネクション再設定メッセージ等を受信する受信部５００、及び受信したメッセージに含まれる設定情報等に従って処理を行う処理部５０２から成る。
【００５９】
図６は本発明の各実施の形態における基地局装置（ｅＮＢ１０２）の構成を示すブロック図である。なお、説明が煩雑になることを避けるために、図６では、本発明と密接に関連する主な構成部のみを示す。
【００６０】
図６に示すｅＮＢ１０２は、ＵＥ１２２へＲＲＣコネクション再設定メッセージ等を送信する送信部６００、及び各種設定情報等を含めたＲＲＣコネクション再設定メッセージを作成し、ＵＥ１２２に送信する事により、ＵＥ１２２の処理部５０２に処理を行わせる処理部６０２から成る。なお、図６に示す構成は、ｇＮＢ１０８に適応されても良い。ｇＮＢ１０８に適応される場合、送信部６００よりＵＥ１２２へ送信されるメッセージはＲＲＣ再設定メッセージであっても良い。
【００６１】
図７は本発明の各実施の形態において、図４におけるＲＲＣコネクション再設定メッセージに含まれる設定情報等を表すＡＳＮ．１（Ａｂｓｔｒａｃｔ  Ｓｙｎｔａｘ  Ｎｏｔａｔｉｏｎ  Ｏｎｅ）記述の一例の図の一部（一枚目）である。また図８は本発明の各実施の形態において、図４におけるＲＲＣコネクション再設定メッセージに含まれる設定情報等を表すＡＳＮ．１記述の一例の図の一部（二枚目）である。３ＧＰＰにおいて、ＲＲＣに係る仕様書（非特許文献４、非特許文献１０）は、メッセージ、及び設定情報等をＡＳＮ．１を用いて記述する。ＡＳＮ．１の設定情報等は、主にフィールド、及び情報要素（Ｉｎｆｏｒｍａｔｉｏｎ  Ｅｌｅｍｅｎｔ：ＩＥ）から構成される。図７及び図８のＡＳＮ．１の例で、＜略＞及び＜中略＞とは、ＡＳＮ．１の表記の一部ではなく、他の情報を省略している事を示す。なお＜略＞又は＜中略＞という記載の無い所でも、情報要素が省略されていても良い。なお図７及び図８におけるＡＳＮ．１の例はＡＳＮ．１表記方法に正しく従ったものではなく、本発明におけるＲＲＣコネクション再設定の設定情報の一例を表記したものであり、フィールド及び情報要素には他の名称や他の表記が使われても良い。また図７及び図８におけるＡＳＮ．１の例は、説明が煩雑になることを避けるために、本発明と密接に関連する主な情報に関する例のみを示す。
【００６２】
図７の例において、ＲＲＣコネクション再設定（ＲＲＣＣｏｎｎｅｃｔｉｏｎＲｅｃｏｎｆｉｇｒａｔｉｏｎ）に含まれる設定情報が、「：：＝  ＳＥＱＵＥＮＣＥ」という表記を用いて表されている。図７の例ではＲＲＣコネクション再設定に含まれる設定情報に
はｒａｄｉｏＲｅｓｏｕｒｃｅＣｏｎｆｉｇＤｅｄｉｃａｔｅｄというフィールドで示される設定情報と、ｆｕｌｌＣｏｎｆｉｇというフィールドで示される設定情報があり、それぞれ設定が必要な時、つまりオプション（ＯＰＴＩＯＮＡＬ）としてＲＲＣコネクション再設定の設定情報として含められても良い。ｒａｄｉｏＲｅｓｏｕｒｃｅＣｏｎｆｉｇＤｅｄｉｃａｔｅｄフィールドの詳細は、ＲａｄｉｏＲｅｓｏｕｒｃｅＣｏｎｆｉｇＤｅｄｉｃａｔｅｄで示される情報要素によって、別途記述されても良い。また、ｆｕｌｌＣｏｎｆｉｇというフィールドで示される設定情報はハンドオーバ時や、無線ベアラの再確立後に、フル設定が適用される事を示す設定情報であってもよく、フル設定が適用される場合には「ｔｒｕｅ」と表現されても良い。
【００６３】
また図７において、ＲａｄｉｏＲｅｓｏｕｒｃｅＣｏｎｆｉｇＤｅｄｉｃａｔｅｄで示される情報要素は、無線ベアラの確立（ｓｅｔｕｐ）、変更（ｍｏｄｉｆｙ）、解放（ｒｅｌｅａｓｅ）、及び／又はＭＡＣエンティティの設定などに使われても良い。図７の例で、ＲａｄｉｏＲｅｓｏｕｒｃｅＣｏｎｆｉｇＤｅｄｉｃａｔｅｄで示される情報要素には、ｓｒｂ−ＴｏＡｄｄＭｏｄＬｉｓｔというフィールド、及びｄｒｂ−ＴｏＡｄｄＭｏｄＬｉｓｔというフィールドで示される設定情報をもち、それぞれ設定が必要な時、つまりオプションとしてＲａｄｉｏＲｅｓｏｕｒｃｅＣｏｎｆｉｇＤｅｄｉｃａｔｅｄで示される情報要素の設定情報として含められても良い。ｓｒｂ−ＴｏＡｄｄＭｏｄＬｉｓｔというフィールド、及びｄｒｂ−ＴｏＡｄｄＭｏｄＬｉｓｔというフィールドの詳細は、それぞれＳＲＢ−ＴｏＡｄｄＭｏｄＬｉｓｔで示される情報要素、及びＤＲＢ−ＴｏＡｄｄＭｏｄＬｉｓｔで示される情報要素によって、別途記述されても良い。
【００６４】
図７の例に示す通りＳＲＢ−ＴｏＡｄｄＭｏｄＬｉｓｔで示される情報要素はＳＲＢ−ＴｏＡｄｄＭｏｄで示される情報要素のリストであり、ＳＲＢ−ＴｏＡｄｄＭｏｄで示される情報要素は、追加（ａｄｄ）又は変更（ｍｏｄｉｆｙ）されるＳＲＢに関する設定情報であっても良い。また図７の例に示す通り、ＳＲＢ−ＴｏＡｄｄＭｏｄで示される情報要素にはｓｒｂ−Ｉｄｅｎｔｉｔｙというフィールドで示される設定情報を含んでもよく、ｓｒｂ−Ｉｄｅｎｔｉｔｙというフィールドで示される設定情報は、ＳＲＢを一意に識別するＳＲＢ識別子であっても良く、１から２のうち何れかの値をとっても良い。
【００６５】
また図８の例に示す通りＤＲＢ−ＴｏＡｄｄＭｏｄＬｉｓｔで示される情報要素はＤＲＢ−ＴｏＡｄｄＭｏｄで示される情報要素のリストであり、ＤＲＢ−ＴｏＡｄｄＭｏｄで示される情報要素は、追加（ａｄｄ）又は変更（ｍｏｄｉｆｙ）されるＤＲＢに関する設定情報あっても良い。また図８の例に示す通り、ＤＲＢ−ＴｏＡｄｄＭｏｄで示される情報要素にはｄｒｂ−Ｉｄｅｎｔｉｔｙというフィールドで示される設定情報を含んでもよく、ｄｒｂ−Ｉｄｅｎｔｉｔｙというフィールドで示される設定情報は、ＤＲＢを一意に識別するＤＲＢ識別子であっても良く、１から３２までの整数のうち何れかの値を取っても良い。ＤＣの場合、ＤＲＢ識別子は、ＵＥ１２２のスコープ内で固有であっても良い。
【００６６】
また図８の例に示す通り、ＤＲＢ−ＴｏＡｄｄＭｏｄで示される情報要素には、ｅｐｓ−ＢｅａｒｅｒＩｄｅｎｔｉｔｙというフィールドがオプションで含まれても良く、ｅｐｓ−ＢｅａｒｅｒＩｄｅｎｔｉｔｙというフィールドで示される設定情報は、ＥＰＣ１０４で用いられる、非特許文献３に記載のＥＰＳベアラを一意に識別するＥＰＳベアラ識別子であっても良く、０から１５の整数のうち何れかの値を取っても良い。またＥＰＳベアラ識別子と、前述のＤＲＢ識別子の対応情報が、ＵＥ１２２内に保持されても良い。
【００６７】
また図８の例に示す通り、ＤＲＢ−ＴｏＡｄｄＭｏｄで示される情報要素には、ｐｄｃｐ−Ｃｏｎｆｉｇというフィールド、及びＰＤＣＰ−Ｃｏｎｆｉｇという情報要素で示される設定情報がオプションで含まれてもよく、ｐｄｃｐ−Ｃｏｎｆｉｇというフィールド、及びＰＤＣＰ−Ｃｏｎｆｉｇという情報要素で示される設定情報は、ＰＤＣＰエンティ
ティの設定に関する情報であっても良い。なお、ＲＲＣコネクション再設定メッセージに含まれるｐｄｃｐ−Ｃｏｎｆｉｇというフィールド、及びＰＤＣＰ−Ｃｏｎｆｉｇという情報要素で示される設定情報は、Ｅ−ＵＴＲＡ  ＰＤＣＰエンティティの設定情報であっても良い。つまり、ＲＲＣコネクション再設定メッセージにｐｄｃｐ−Ｃｏｎｆｉｇというフィールド、及びＰＤＣＰ−Ｃｏｎｆｉｇという情報要素で示される設定情報が含まれるという事は、Ｅ−ＵＴＲＡ  ＰＤＣＰが設定される事を意味しても良い。
【００６８】
また図８の例に示す通り、ＤＲＢ−ＴｏＡｄｄＭｏｄで示される情報要素には、ｒｌｃ−Ｃｏｎｆｉｇというフィールド、及びＲＬＣ−Ｃｏｎｆｉｇという情報要素で示される設定情報がオプションで含まれてもよく、ｒｌｃ−Ｃｏｎｆｉｇというフィールド、及びＲＬＣ−Ｃｏｎｆｉｇという情報要素で示される設定情報は、ＲＬＣエンティティの設定に関する情報であっても良い。
【００６９】
また図８の例に示す通り、ＤＲＢ−ＴｏＡｄｄＭｏｄで示される情報要素には、ｌｏｇｉｃａｌＣｈａｎｎｅｌＣｏｎｆｉｇというフィールド、及びＬｏｇｉｃａｌＣｈａｎｎｅｌＣｏｎｆｉｇという情報要素で示される設定情報がオプションで含まれてもよく、ｌｏｇｉｃａｌＣｈａｎｎｅｌＣｏｎｆｉｇというフィールド、及びＬｏｇｉｃａｌＣｈａｎｎｅｌＣｏｎｆｉｇという情報要素で示される設定情報は、ＤＴＣＨ（Ｄｅｄｉｃａｔｅｄ  Ｔｒａｆｆｉｃ  Ｃｈａｎｎｅｌ）論理（ロジカル）チャネルの設定に関する情報であっても良い。またＤＲＢ−ＴｏＡｄｄＭｏｄで示される情報要素には、ｌｏｇｉｃａｌＣｈａｎｎｅｌＩｄｅｎｔｉｔｙというフィールドで示される設定情報を含んでも良く、ｌｏｇｉｃａｌＣｈａｎｎｅｌＩｄｅｎｔｉｔｙというフィールドで示される設定情報は、ＤＴＣＨロジカルチャネルを一意に識別するロジカルチャネル識別子であっても良く、３から１０の整数のうち、何れかの値を取っても良い。
【００７０】
図９を用いて、本発明の実施の形態におけるＵＥ１２２の処理方法の一例を説明する。
【００７１】
ｅＮＢ１０２の処理部６０２は、ＵＥ１２２に処理を行わせるための、フル設定が適用される事を示す設定情報、即ちｆｕｌｌＣｏｎｆｉｇフィールドを含む、ＲＲＣコネクション再設定メッセージを作成し、送信部６００よりＵＥ１２２へと送信する（不図示）。ＵＥ１２２の受信部５００は、ｅＮＢ１０２からｆｕｌｌＣｏｎｆｉｇフィールドを含むＲＲＣコネクション再設定メッセージを受信する（ステップＳ９００）。
【００７２】
次にＵＥ１２２の処理部５０２は、上述のＲＲＣコネクション再設定メッセージに、フル設定が適応される事を示す設定情報が含まれている事、即ちｆｕｌｌＣｏｎｆｉｇフィールドが含まれている事を確認し、ｆｕｌｌＣｏｎｆｉｇフィールドが含まれている事に基づいて、以下の処理（後述のステップＳ９０４及び／又はステップＳ９０６の処理）を行う（ステップＳ９０２）。
【００７３】
ＵＥ１２２の処理部５０２は、Ｅ−ＵＴＲＡ／５ＧＣ、又はＮＧＥＮ−ＤＣを実行している場合、Ｅ−ＵＴＲＡ／５ＧＣ、又はＮＧＥＮ−ＤＣを実行している事に基づいて、ＵＥ１２２に設定されている全てのＤＲＢ識別子、又は各ＤＲＢ識別子に対応するＤＲＢに対し、ＰＤＣＰエンティティの解放、及び／又はＲＬＣエンティティの解放、及び／又はロジカルチャネルの解放、及び／又はＤＲＢ識別子の解放を行う（ステップＳ９０４）。
【００７４】
なお、ステップＳ９０４において、ＰＤＣＰエンティティの解放とは、ＮＲ  ＰＤＣＰエンティティの解放であっても良い。また、ステップＳ９０４において、ＰＤＣＰエンティティを解放する前に、ＲＬＣエンティティを再確立（Ｒｅ−ｅｓｔａｂｌｉｓｈ）しても良い。またステップＳ９０４において、ロジカルチャネルとは、ＤＴＣＨロジカルチャネルであっても良い。また、ステップＳ９０４において、ＭＣＧセキュリティ設定を解放
しても良い。上述のＭＣＧセキュリティ設定の解放は、コア網が５ＧＣ１１０からＥＰＣ１０４への変更を伴うハンドオーバ、又は５ＧＣ１１０からＥＰＣ１０４へのリダイレクトである事に基づいて行われても良い。上述のコア網が５ＧＣ１１０からＥＰＣ１０４への変更を伴うハンドオーバ、又は５ＧＣ１１０からＥＰＣ１０４へのリダイレクトである事の判断は、上述のＲＲＣコネクション再設定、又は上述のＲＲＣコネクション再設定の中にコンテナとして含まれるＮＲ用ＲＲＣ再確立に関する設定情報の中に、コア網の変更を伴わないという設定情報、又は５ＧＣ１１０内であるという設定情報が、含まれていない事に基づいて判断されても良いし、上述のＲＲＣコネクション再設定、又は上述のＲＲＣコネクション再設定の中にコンテナとして含まれるＮＲ用ＲＲＣ再確立に関する設定情報の中に、５ＧＣ１１０からＥＰＣ１０４への変更であるという設定情報が含まれている事に基づいて判断されても良い。また上述のコア網が５ＧＣ１１０からＥＰＣ１０４への変更を伴うハンドオーバ、又は５ＧＣ１１０からＥＰＣ１０４へのリダイレクトである事の判断は、上述のＲＲＣコネクション再設定メッセージに含まれる追加又は変更すされるＤＲＢに関する設定情報、即ちＤＲＢ−ＴｏＡｄｄＭｏｄＬｉｓｔ又はＤＲＢ−ＴｏＡｄｄＭｏｄの中に、ＰＤＣＰエンティティの設定に関する情報が含まれている場合、即ちｐｄｃｐ−Ｃｏｎｆｉｇ又はＰＤＣＰ−Ｃｏｎｆｉｇが含まれている場合、即ちＥ−ＵＴＲＡ  ＰＤＣＰエンティティが設定される事に基づいて行われても良い。
【００７５】
また、ＵＥ１２２の処理部５０２は、Ｅ−ＵＴＲＡ／５ＧＣ、又はＮＧＥＮ−ＤＣを実行している場合、Ｅ−ＵＴＲＡ／５ＧＣ、又はＮＧＥＮ−ＤＣを実行している事に基づいて、上述のＤＲＢに対応しているＳＤＡＰエンティティに対し、上述のＤＲＢの解放を通知しても良い（ステップＳ９０６）。また、ＵＥ１２２の処理部５０２は、Ｅ−ＵＴＲＡ／５ＧＣ、又はＮＧＥＮ−ＤＣを実行している場合、Ｅ−ＵＴＲＡ／５ＧＣ、又はＮＧＥＮ−ＤＣを実行している事に基づいて、ＵＥ１２２に設定されている全てのＤＲＢ識別子、又は各ＤＲＢ識別子に対応するＤＲＢに対し、ＤＲＢの解放を行った後、即ちステップＳ９０４の処理を完了した後、ＵＥ１２２に設定されている全てのＳＤＡＰエンティティを解放しても良い。
【００７６】
また、ＵＥ１２２の処理部５０２は、ＲＲＣコネクション再設定メッセージにｆｕｌｌＣｏｎｆｉｇフィールドが含まれている事に基づいて、Ｅ−ＵＴＲＡ／５ＧＣ、又はＮＧＥＮ−ＤＣを実行している場合、Ｅ−ＵＴＲＡ／５ＧＣ、又はＮＧＥＮ−ＤＣを実行している事に基づいて、Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）設定情報以外の全ての専用（ｄｅｄｉｃａｔｅｄ）無線設定（ｒａｄｉｏ  ｃｏｎｆｉｇｒａｔｉｏｎ）情報を解放（ｒｅｌｅａｓｅ）及び／又は除去（ｃｌｅａｒ）しても良い。この際、上述の解放及び／又は除去処理の対象とならない設定情報は、Ｃ−ＲＮＴＩの他にも存在しても良い。またこの際、Ｃ−ＲＮＴＩが解放されても良い。また、どの設定情報を上述の解放及び／又は除去処理から除外するかの判断は、フル設定の適用が、コア網の変更を伴うか否かに基づいて判断されても良い。例えば、コア網の変更を伴わないフル設定、又は５ＧＣコア網内でのフル設定であると事に基づいて、ＭＣＧセキュリティ設定が、上述の解放及び／又は除去処理から除外されても良い。また上述の、コア網の変更を伴わないフル設定、又は５ＧＣコア網内でのフル設定である事の判断は、上述のＲＲＣコネクション再設定、又は上述のＲＲＣコネクション再設定の中にコンテナとして含まれるＮＲ用ＲＲＣ再確立に関する設定情報の中に、コア網の変更を伴わないという設定情報、又は５ＧＣ１１０内であるという設定情報が、含まれている事に基づいて判断されても良いし、上述のＲＲＣコネクション再設定、又は上述のＲＲＣコネクション再設定の中にコンテナとして含まれるＮＲ用ＲＲＣ再確立に関する設定情報の中に、５ＧＣ１１０からＥＰＣ１０４への変更であるという設定情報が含まれていない事に基づいて判断されても良い。また上述のコア網が５ＧＣ１１０からＥＰＣ１０４への変更を伴うハンドオーバ、又は５ＧＣ１１０からＥＰＣ１０４へのリダイレクトである事の判断は、上述のＲＲＣコネクション再設定メッセージに含まれる追加又は変更
すされるＤＲＢに関する設定情報、即ちＤＲＢ−ＴｏＡｄｄＭｏｄＬｉｓｔ又はＤＲＢ−ＴｏＡｄｄＭｏｄの中に、ＰＤＣＰエンティティの設定に関する情報が含まれていない場合、即ちｐｄｃｐ−Ｃｏｎｆｉｇ又はＰＤＣＰ−Ｃｏｎｆｉｇが含まれていな場合、即ちＮＲ  ＰＤＣＰエンティティが設定される事に基づいて行われても良い。
【００７７】
また、ＵＥ１２２の処理部５０２は、ＲＲＣコネクション再設定メッセージにｆｕｌｌＣｏｎｆｉｇフィールドが含まれている事に基づいて、ＲＲＣコネクション再設定メッセージに含まれるｓｒｂ−ＴｏＡｄｄＭｏｄＬｉｓｔに含まれる各ｓｒｂ−Ｉｄｅｎｔｉｔｙの値に対応するＳＲＢに対し、ＵＥ１２２がＥ−ＵＴＲＡ／５ＧＣ又はＮＧＥＮ−ＤＣを実行している事に基づいて、ＮＲ  ＰＤＣＰエンティティを解放し、Ｅ−ＵＴＲＡ  ＰＤＣＰエンティティを確立しても良い。
【００７８】
図１０を用いて、本発明の実施の形態におけるＵＥ１２２の処理方法の別の一例を説明する。
【００７９】
ｅＮＢ１０２の処理部６０２は、ＵＥ１２２に処理を行わせるための、フル設定が適用される事を示す設定情報、即ちｆｕｌｌＣｏｎｆｉｇフィールドを含む、ＲＲＣコネクション再設定メッセージを作成し、送信部６００よりＵＥ１２２へと送信する（不図示）。ＵＥ１２２の受信部５００は、ｅＮＢ１０２からＲＲＣコネクション再設定メッセージを受信する（ステップＳ１０００）。
【００８０】
次にＵＥ１２２の処理部５０２は、上述のＲＲＣコネクション再設定メッセージに、フル設定が適応される事を示す設定情報が含まれている事、即ちｆｕｌｌＣｏｎｆｉｇフィールドが含まれている事を確認し、ｆｕｌｌＣｏｎｆｉｇフィールドが含まれている事に基づいて、以下の処理（後述のステップＳ１００４及び／又はステップＳ１００６の処理）を行う（ステップＳ１００２）。
【００８１】
ＵＥ１２２の処理部５０２は、ＵＥ１２２に設定されているＥＰＳベアラ識別子のうち、上述のＲＲＣコネクション再設定メッセージに含まれるＥＰＳベアラ識別子の値に対応する各ＤＲＢに対し、ＰＤＣＰエンティティの解放、及び／又はＲＬＣエンティティの解放、及び／又はロジカルチャネルの解放、及び／又はＤＲＢ識別子の解放を行う（ステップＳ１００４）。なお上述のステップＳ１００４の処理は、ＵＥ１２２がＥ−ＵＴＲＡ／５ＧＣ、又はＮＧＥＮ−ＤＣを実行していない事に基づいて行われても良い。
【００８２】
なお、ステップＳ１００４において、ＰＤＣＰエンティティの解放とは、ＮＲ  ＰＤＣＰエンティティ又はＥ−ＵＴＲＡ  ＰＤＣＰエンティティの解放と言い換えても良い。またステップＳ１００４においてＰＤＣＰエンティティの解放とは、上述のＤＲＢにＥ−ＵＴＲＡ  ＰＤＣＰエンティティが設定されていた場合にはＥ−ＵＴＲＡ  ＰＤＣＰエンティティを解放し、それ以外の場合、即ち上述のＤＲＢにＮＲ  ＰＤＣＰエンティティが設定されていた場合には、ＮＲ  ＰＤＣＰエンティティを解放すると言い換えても良い。またＮＲ  ＰＤＣＰエンティティを解放する前に、ＲＬＣエンティティを再確立（ｒｅ−ｅｓｔａｂｌｉｓｈ）しても良い。
【００８３】
またＵＥ１２２の処理部５０２は、ＵＥ１２２に設定されているＥＰＳベアラ識別子のうち、上述のＲＲＣコネクション再設定メッセージに含まれないＥＰＳベアラ識別子の値に対応する各ＤＲＢに対し、ＤＲＢ解放処理を行っても良い（ステップＳ１００６）。なお、前述のステップ１００６の処理は、ＵＥ１２２がＥ−ＵＴＲＡ／５ＧＣ、又はＮＧＥＮ−ＤＣを実行していない事に基づいて行われても良い。なお、ステップＳ１００６において、ＤＲＢ解放処理とは、上述のＤＲＢにＥ−ＵＴＲＡ  ＰＤＣＰエンティティが設定されていない場合には、即ちＮＲ  ＰＤＣＰエンティティが設定されていた場合には、Ｎ
Ｒ  ＰＤＣＰエンティティを解放する処理であっても良い。またＮＲ  ＰＤＣＰエンティティを解放する前に、ＲＬＣエンティティを再確立（ｒｅ−ｅｓｔａｂｌｉｓｈ）しても良い。
【００８４】
また、ＵＥ１２２の処理部５０２は、上述のＲＲＣコネクション再設定メッセージにｆｕｌｌＣｏｎｆｉｇフィールドが含まれている事に基づいて、ＲＲＣコネクション再設定メッセージに含まれるｓｒｂ−ＴｏＡｄｄＭｏｄＬｉｓｔに含まれる各ｓｒｂ−Ｉｄｅｎｔｉｔｙの値に対応するＳＲＢに対し、ＵＥ１２２がＥ−ＵＴＲＡ／５ＧＣ又はＮＧＥＮ−ＤＣを実行していない事に基づいて、又はセキュリティ鍵に変更が無いという設定情報に基づいて、ＮＲ  ＰＤＣＰエンティティを解放し、Ｅ−ＵＴＲＡ  ＰＤＣＰエンティティを確立し、ＵＥ１２２に設定されているセキュリティ設定を適応しても良い。
【００８５】
なお、本発明の各実施の形態における無線ベアラ設定は、ＲＲＣコネクション再設定手順だけでなく、ＲＲＣコネクション確立手順や、ＲＲＣコネクション再確立手順などに含まれていても良い。また本発明の各実施の形態において、ＤＲＢをＳＲＢと言い換えても良いし、ＳＲＢをＤＲＢと言い換えても良い。またＤＲＢ及び／又はＳＲＢを無線ベアラと言い換えても良い。
【００８６】
また、本発明の各実施の形態において、コア網の変更を伴う場合、例えば５ＧＣ１１０からＥＰＣ１０４への変更、又はＥＰＣ１０４から５ＧＣ１１０への変更が行われる場合には、無線ベアラの解放処理と無線ベアラの追加処理を一つのＲＲＣコネクション再設定メッセージ、及び／又は一つのＲＲＣ再設定メッセージで行っても良い。即ち、端末装置に設定されている全て無線ベアラ、又はＤＲＢの解放に関する設定情報と、端末装置に追加する無線ベアラ又はＤＲＢに関する設定情報が、一つのＲＲＣコネクション再設定メッセージ、及び／又は一つのＲＲＣ再設定メッセージに含まれていても良い。またこの際、同一の無線ベアラ識別子を使っても良い。
【００８７】
このように、本発明の実施の形態によると、ＭＲ−ＤＣを考慮に入れフル設定を行う事により、プロトコル処理の複雑さを低減し、基地局装置と端末装置との通信を効率的に行うことができる。
【００８８】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュ−タを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【００８９】
なお、上述した実施形態における装置の一部、をコンピュ−タで実現するようにしてもよい。その場合、この制御機能を実現するためのプログラムをコンピュ−タが読み取り可能な記録媒体に記録して、この記録媒体に記録されたプログラムをコンピュ−タシステムに読み込ませ、実行することによって実現してもよい。ここでいう「コンピュ−タシステム」とは、装置に内蔵されたコンピュ−タシステムであって、オペレ−ティングシステムや周辺機器等のハ−ドウェアを含むものとする。また、「コンピュ−タが読み取り可能な記録媒体」とは、半導体記録媒体、光記録媒体、磁気記録媒体等のいずれであってもよい。
【００９０】
さらに「コンピュ−タが読み取り可能な記録媒体」とは、インターネット等のネットワークや電話回線等の通信回線を介してプログラムを送信する場合の通信線のように、短時
間、動的にプログラムを保持するもの、その場合のサーバやクライアントとなるコンピュ−タシステム内部の揮発性メモリのように、一定時間プログラムを保持しているものも含んでもよい。また上記プログラムは、前述した機能の一部を実現するためのものであってもよく、さらに前述した機能をコンピュ−タシステムにすでに記録されているプログラムとの組み合わせで実現できるものであってもよい。
【００９１】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、代わりにプロセッサは従来型のプロセッサ、コントロ−ラ、マイクロコントロ−ラ、またはステ−トマシンであってもよい。汎用用途プロセッサ、または前述した各回路は、デジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【００９２】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【００９３】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記実施形態に記載された要素であり、同様の効果を奏する要素同士を置換した構成も含まれる。
【符号の説明】
【００９４】
１００  Ｅ−ＵＴＲＡ
１０２  ｅＮＢ
１０４  ＥＰＣ
１０６  ＮＲ
１０８  ｇＮＢ
１１０  ５ＧＣ
１１２、１１４、１１６，１１８、１２０、１２４  インタフェース
１２２  ＵＥ
２００、３００  ＰＨＹ
２０２、３０２  ＭＡＣ
２０４、３０４  ＲＬＣ
２０６、３０６  ＰＤＣＰ
２０８、３０８  ＲＲＣ
３１０  ＳＤＡＰ
５００  受信部
５０２、６０２  処理部
６００  送信部
【図１】
2020048113.tif 000003
【図２】
2020048113.tif 000004
【図３】
2020048113.tif 000005
【図４】
2020048113.tif 000006
【図５】
2020048113.tif 000007
【図６】
2020048113.tif 000008
【図７】
2020048113.tif 000009
【図８】
2020048113.tif 000010
【図９】
2020048113.tif 000011
【図１０】
2020048113.tif 000012